(57)【要約】【課題】コンセントに至る電源ケーブルと情報ケーブルとを別々のルートで配線してノイズの影響を受け難い天板付き家具を提供する。【解決手段】左右一対の支持体１１の上部にコンセント５５が取り付けられた天板１２が配置されている。この天板１２の後部下面側には上下二段に分かれた情報ケーブル受け２５と電源ケーブル受け２６を備えたケーブル収容ユニット１４が配置されている。情報ケーブルＣ１は一方の支持体１１内を通って上方ケーブル受け２５内に導入されてコンセント５５に接続され、電源ケーブルＣ２は、他方の支持体内を通って電源ケーブル受け２６内に導入されてコンセント５５に接続される。【選択図】          図５
2005006903.tif 000002
【特許請求の範囲】
【請求項１】
天板を支持する複数の支持体を通じて前記天板の近傍に配置されたコンセントにケーブルを配線する構造において、
前記ケーブルは床面側から導出する電源ケーブルと情報ケーブルとを含み、これらケーブルは、別々の支持体を通って前記コンセントに接続されていることを特徴とする天板付き家具の配線構造。
【請求項２】
前記支持体とコンセントとの間に、電源ケーブル受けと情報ケーブル受けがそれぞれ独立して設けられ、前記支持体内を通って上方に導出する電源ケーブルと情報ケーブルは、それぞれ電源ケーブル受けと情報ケーブル受けを通って前記コンセントに接続されていることを特徴とする請求項１記載の天板付き家具の配線構造。
【請求項３】
左右一対の支持体と、これら支持体の上部に配置された天板と、当該天板の近傍に配置されるとともに電源コンセントと情報コンセントとを含むコンセントとを備え、
前記一対の支持体の一方の支持体の下部から上方に向かって電源ケーブルが導出されるとともに、他方の支持体の下部から上方に向かって情報ケーブルが導出されて各ケーブルの導出端が前記コンセントに接続されていることを特徴とする天板付き家具の配線構造。
【請求項４】
前記支持体の上部間で上下に離れた状態で電源ケーブル受けと情報ケーブル受けがそれぞれ独立して設けられ、前記一方の支持体の上部から導出される電源ケーブルは、前記電源ケーブル受けを通じて前記コンセントに接続され、前記他方の支持体の上部から導出され情報ケーブルは、前記情報ケーブル受けを通じて前記コンセントに接続されていることを特徴とする請求項３記載の天板付き家具の配線構造。
【発明の詳細な説明】
【０００１】
【発明の属する技術分野】
本発明は天板付き家具の配線構造に係り、更に詳しくは、電源コンセントと情報コンセントが一体に設けられたコンセントに電源ケーブルと情報ケーブルを接続する際に、情報コンセントへのノイズ発生を抑制することのできる天板付き家具の配線構造に関する。
【０００２】
【従来の技術】
いわゆるノートパソコンと称される小型、薄型化したコンピュータ機器の飛躍的な普及に伴い、天板回りにコンセントを配置し、当該コンセントにコンピュータを接続して利用することができる学習用若しくは講義用のデスクが知られている。このタイプのコンセントは、商用電源に接続されるコンセントと通信回線に接続される情報コンセントとを一体に備えたタイプのものが存在する。従って、このコンセントからは、商用電源に接続するための電源ケーブルと通信回線に接続される情報ケーブルとが混在して導出することとなり、これらの各ケーブルが並行して配線されることとなる。
【０００３】
【発明が解決しようとする課題】
しかしながら、電源ケーブル回りには、周波数に応じた電磁波が発生するため、当該電磁波の影響を受けて情報ケーブルにノイズが発生し、コンピュータの文字化けや、これに接続されたプリンタの動作不良等を引き起こす要因となる。
【０００４】
【発明の目的】
本発明は、このような不都合に着目して案出されたものであり、その目的は、コンセントに至る電源ケーブルと情報ケーブルとを別々のルートで配線できるようにしてノイズの発生を抑制することのできる天板付き家具を提供することにある。
【０００５】
【課題を解決するための手段】
前記目的を達成するため、本発明は、天板を支持する複数の支持体を通じて前記天板の近傍に配置されたコンセントにケーブルを配線する構造において、
前記ケーブルは床面側から導出する電源ケーブルと情報ケーブルとを含み、これらケーブルは、別々の支持体を通って前記コンセントに接続される、という構成を採っている。このような構成とすれば、電源ケーブルと情報ケーブルとが単一の支持体内に並行して導出することがなくなり、情報ケーブルにおけるノイズの発生を効果的に抑制することができる。しかも、これらのケーブルは別ルートとなるため、配線の引き回しや、増設等の作業を行う際の作業を混乱なく行うことができる。
【０００６】
また、本発明は、前記支持体とコンセントとの間に、電源ケーブル受けと情報ケーブル受けがそれぞれ独立して設けられ、前記支持体内を通って上方に導出する電源ケーブルと情報ケーブルは、それぞれ電源ケーブル受けと情報ケーブル受けを通って前記コンセントに接続される、という構成を採っている。このような構成とすれば、各ケーブルが並行する領域を殆ど無くすことができ、ノイズによる影響を更に効果的に回避可能となる。
【０００７】
更に、本発明は、左右一対の支持体と、これら支持体の上部に配置された天板と、当該天板の近傍に配置されるとともに電源コンセントと情報コンセントとを含むコンセントとを備え、
前記一対の支持体の一方の支持体の下部から上方に向かって電源ケーブルが導出されるとともに、他方の支持体の下部から上方に向かって情報ケーブルが導出されて各ケーブルの導出端が前記コンセントに接続される、という構成を採り、これにより、前述した目的をより良く達成しようとしたものである。
【０００８】
また、前記支持体の上部間に電源ケーブル受けと情報ケーブル受けがそれぞれ独立して設けられ、前記一方の支持体の上部から導出される電源ケーブルは、前記電源ケーブル受けを通じて前記コンセントに接続され、前記他方の支持体の上部から導出される情報ケーブルは、前記情報ケーブル受けを通じて前記コンセントに接続される、という構成を採っている。電源ケーブル受けと情報ケーブル受けを上下方向に離して設けることで、これらを配置するためのスペースを前後方向に大きく取らなくてよく、デスクに着座した者の膝領域が干渉するような不都合も生じない。すなわち、天板下の前後方向空間を広く確保することができる。
【０００９】
なお、本明細書において、「左右」、「上下」とは、図３に示されるように、デスクを正面側から見た場合を基準として用いられ、また、デスクの手前側を「前」とし、奥行き側を「後」として用いられる。
【００１０】
【発明の実施の形態】
以下、本発明の実施例を図面を参照しながら説明する。
【００１１】
図１には、本実施例に係る配線構造が適用されたデスクを後方から見た概略斜視図が示され、図２及び図３にはデスクの背面図、正面図がそれぞれ示されている。これらの図において、天板付き家具としてのデスク１０は、左右一対の支持体１１，１１と、これら支持体１１の上部に配置された天板１２と、当該天板１２の後部下面側に配置された配線収容ユニット１４と、この配線収容ユニット１４の後部において、前記支持体１１，１１の後部に図示しないブラケット等を介して固定された幕板１５とを備えて構成されている。
【００１２】
前記支持体１１は、図４ないし図６に示されるように、上下方向に延びるとともに、横断面形状が長円形状をなすパイプ状の支柱１７と、この支柱１７の前半部領域を空間Ｓを介して前方より覆うカバー１８と、前記支柱１７の下端部前後方向に向けられたベース１９と、支柱１７の上端部前後方向に向けられた取付板２０（図６参照）とを備えて構成されている。カバー１８は、横断面形状が略Ｕ字状をなし、上半部内面側の後方領域が側面視略Ｌ字状となる切欠部１８Ａを備えた形状に設けられている。
【００１３】
図６及び図７に示されるように、前記カバー１８の下端部内面側には通路２３が形成されているとともに、床面側に開放する箱状の下カバー２２が固定されている。この下カバー２２内には、床面Ｆから導出される情報ケーブルＣ１又は電源ケーブルＣ２が導入され、当該ケーブルＣ１又はＣ２は、前記通路２３を通ってカバー１７の上部に向かって導出され、前記切欠部１７Ａから引き出されて更に上方に導出可能となっている。なお、下カバー１７は、その前後両側位置で、上方よりより挿入されるボルト等の固定具２４で床面Ｆに固定できるようになっている。
【００１４】
前記配線収容ユニット１４は、情報ケーブルＣ１を収容する情報ケーブル受け２５と、当該情報ケーブル受け２５よりも上方に離れた位置設けられて電源ケーブルＣ２を収容する電源ケーブル受け２６と、これら情報ケーブル受け２５及び電源ケーブル受け２６の前部に設けられた前部隠蔽カバー２９とにより構成されている。
【００１５】
情報ケーブル受け２５は左右方向に沿って延びる通路状をなし、その両端の開放部が支持体１１の前記切欠部１８Ａに位置するようになっている。この情報ケーブル受け２５は、図８に示されるように、前記支持体１１間に延びる細長い片状をなす底面部３０と、この底面部３０の前端部から起立する片状の前面部３１と、底面部３０の後端部から斜め後方に向かって起立する片状の後面部３２とからなる。前面部３１の上部は、後面部３２に向かう折り返し部３３とされ、この折り返し部３３の面内には、左右方向に向けられたスロット状の連結用穴３５が当該折り返し部３３の長手方向に沿う複数箇所に形成されている。また、後面部３２の長手方向両端部と中間部はＵ字状に切り欠いたねじ挿入部３７が形成されており、当該ねじ挿入部３７に挿入されるねじ３８は、幕板１５の下部前面側にスペーサ４０を介してねじ込みできるようになっている。
【００１６】
前記電源ケーブル受け２６も左右方向に沿って延びる通路状をなし、その両端の開放部が前記情報ケーブル受け２５の上方位置で前記切欠部１８Ａに位置するようになっている。この電源ケーブル受け２６は、支持体１１間に延びる細長い片状をなす上底面部４３と、この上底面部４３の前端部に連なる反転略Ｕ字状の折り返し部４４と、上底面部４３の後端部から上方に向けられた起立面部４５とからなる。折り返し部４４は、その長手方向三箇所で、前部隠蔽カバー２９の上端部に沿う三箇所から挿入されるねじ４７で連結される。この一方、起立面部４５は、長手方向両端部と中間部はＵ字状に切り欠いたねじ挿入部５０が形成されており、当該ねじ挿入部５０に挿入されるねじ５１で、幕板１５の上部前面側にスペーサ４９を介して当該幕板に固定できるようになっている。
【００１７】
前部隠蔽カバー２９は、略鉛直面内に位置する正面板５２と、この正面板５２の上部から後方に向けられた略Ｌ字状の屈曲部５３と、正面板５２の下縁において、長手方向四箇所に設けられるとともに、前記情報ケーブル受け２５に形成された連結用穴２５に差し込まれる下向き屈曲片５４とからなる。
【００１８】
前記天板１２において、その後端部には、左右方向三箇所にコンセント５５が配置されている。このコンセント５５には、天板１２の下面と幕板１５の上端との間の隙間を通じて電源ケーブルＣ１と情報ケーブルＣ２の導出端が延びて接続されている。また、コンセント５５は、図示しないねじを介して天板１２に固定されるようになっている。
【００１９】
なお、図５に示されるように、前記情報ケーブル受け２５内にはハブ６０が収容されて情報ケーブルＣ１を三本に分岐させてそれぞれが各コンセント５５に向かって導出されている。また、電源ケーブル受け２６内には、テーブルタップ６１等を配置して電源ケーブルＣ２を三本に分岐させてそれぞれが各コンセント５５に向かって導出され、コンセント５５に各ケーブルＣ１，Ｃ２の導出端がそれぞれ接続されている。
【００２０】
次に、本実施例の配線方法について説明する。
【００２１】
床面Ｆから導出された情報ケーブルＣ１は、一方の支持体１１における下カバー２２から上方に導出され、切欠部１８Ａから情報ケーブル受け２５内に導入される。また、電源ケーブルＣ２は、他方の支持体１１における下カバー２２から上方に導出され、切欠部１８Ａから電源ケーブル受け２６内に導入される。そして、各ケーブル受け２５，２６に沿うように各ケーブルＣ１，Ｃ２を配置させ、コンセント５５が配置されている位置に対応した下方位置から上方に各ケーブルＣ１，Ｃ２を引き出して導出端をコンセント５５に接続すればよい。
【００２２】
従って、このような実施例によれば、情報ケーブルＣ１と電源ケーブルＣ２は、コンセント５５の近傍で並行するだけで、床面Ｆまでの領域は、大きく引き離された状態で配線される状態となり、これにより、電源ケーブルＣ２によって情報ケーブルＣ１へのノイズ発生が防止されることとなる。
【００２３】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量、その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２４】
例えば、前記実施例では、コンセント５５が三つ配置された天板１２を備えたデスク１０を対象として図示、説明したが、コンセント５５の数は必要に応じて増加、減少させることができる。
【００２５】
また、配線収容ユニット１４を構成する各ケーブル受け２５，２６の形状や、相対位置等も変更することを妨げない。要するに、本発明は、コンセント５５の近傍を除く他の領域で、情報ケーブルＣ１と電源ケーブルＣ２とが並行しないように配線できれば足りる。
【００２６】
また、前記実施例では、デスク１０を対象としたが、天板回りにコンセントを備えるテーブルを含む天板付き家具一般に適用してもよい。
【００２７】
【発明の効果】
以上説明したように、本発明によれば、電源ケーブルと情報ケーブルを別ルートで配線できるように構成したことにより、情報ケーブルにおけるノイズの発生を効果的に抑制することができる他、配線作業若しくは保守点検作業も混乱なく行うことができる、という従来にない優れた効果を奏する天板付き家具の配線構造を提供することができる。
【００２８】
また、情報ケーブル受けと電源ケーブル受けを上下方向に離して設けた構成を採用した場合には、これらを配置するためのスペースを前後方向に大きく取らない構造となるため、天板下の前後方向空間を広く確保することが可能となる。
【図面の簡単な説明】
【図１】実施例に係るデスクを後方から見た概略斜視図。
【図２】前記デスクの背面図。
【図３】前記デスクの正面図。
【図４】天板を省略した状態を示す図１と同様の概略斜視図。
【図５】図４状態から幕板を省略した状態を示す概略斜視図。
【図６】床面からコンセントの間のケーブル配線状況を示す概略断面図。
【図７】ケーブル収容ユニットを省略した状態を示す支持体の概略斜視図。
【図８】ケーブル収容ユニットの分解斜視図。
【符号の説明】
１０  デスク（天板付き家具）
１１  支持体
１２  天板
１４  配線収容ユニット
２５  情報ケーブル受け
２６  電源ケーブル受け
５５  コンセント
Ｃ１  情報ケーブル
Ｃ２  電源ケーブル
【図１】
2005006903.tif 000003
【図２】
2005006903.tif 000004
【図３】
2005006903.tif 000005
【図４】
2005006903.tif 000006
【図５】
2005006903.tif 000007
【図６】
2005006903.tif 000008
【図７】
2005006903.tif 000009
【図８】
2005006903.tif 000010